【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信の方法であって、
前記ＵＥの１つまたは複数の拡張能力を少なくとも１つのソース基地局にシグナリングすることと、
前記ＵＥの前記１つまたは複数の拡張能力と、ターゲット基地局における前記ＵＥの前記１つまたは複数の拡張能力のサポートとに少なくとも部分的に基づいて、１つまたは複数のハンドオーバ関連プロシージャを実行することと
を備え、前記１つまたは複数のハンドオーバ関連プロシージャを実行することは、前記ターゲット基地局における前記ＵＥの前記１つまたは複数の拡張能力のサポートに少なくとも部分的に基づいて前記ターゲット基地局とのサービス品質（ＱｏＳ）ネゴシエーションに参加することを備え、前記ＵＥの前記１つまたは複数の拡張能力は、
前記１つまたは複数の拡張能力がないデバイスに対して低レイテンシを用いてハンドオーバを実行する前記ＵＥの能力、または
拡張コンポーネントキャリア（ｅＣＣ）動作をサポートする前記ＵＥの能力
のうちの少なくとも１つを備える、方法。
【請求項２】
前記１つまたは複数のハンドオーバ関連プロシージャを実行することは、
前記ターゲット基地局の１つまたは複数のパラメータに基づいて、前記ターゲット基地局のタイミングアドバンス（ＴＡ）を決定することと、
前記ターゲット基地局とのランダムアクセスプロシージャをスキップすることと、
前記ＴＡに基づいて前記ターゲット基地局との接続を確立することと
を備える、請求項１に記載の方法。
【請求項３】
前記１つまたは複数のパラメータは、前記ターゲット基地局の送信電力、前記ターゲット基地局のロケーション、または前記ターゲット基地局の信号強度のうちの少なくとも１つを備える、
請求項２に記載の方法。
【請求項４】
前記ターゲット基地局の前記ＴＡを決定することは、前記ターゲット基地局がスモールセルタイプに対応するというインジケーションにさらに基づく、
請求項２に記載の方法。
【請求項５】
前記ターゲット基地局の前記ＴＡは、０である、
請求項４に記載の方法。
【請求項６】
前記１つまたは複数のハンドオーバ関連プロシージャを実行することは、低レイテンシアクセスのために予約されたランダムアクセスチャネル（ＲＡＣＨ）プリアンブルのセットを用いてランダムアクセスプロシージャを実行することを備える、または、前記１つまたは複数のハンドオーバ関連プロシージャを実行することは、前記ターゲット基地局における前記ＵＥの前記１つまたは複数の拡張能力のサポートに少なくとも部分的に基づいて前記少なくとも１つのソース基地局に測定報告を送信することを備える、
請求項１に記載の方法。
【請求項７】
前記ＱｏＳネゴシエーションに参加することは、前記ターゲット基地局がｅＣＣ動作をサポートする能力を有するときに第１のＱｏＳを受け付けること、または、前記ターゲット基地局がｅＣＣ動作をサポートする能力がないときに前記第１のＱｏＳよりも低い第２のＱｏＳを受け付けることを備える、または
前記ＱｏＳネゴシエーションに参加することは、非アクセス層（ＮＡＳ）シグナリングを通して新しいＱｏＳをもつベアラリソース変更を要求することを備える、または
前記ＱｏＳネゴシエーションに参加することは、ＲＲＣ接続再確立要求とともにＱｏＳ要求を送信することを備える、または
前記ＱｏＳネゴシエーションに参加することは、前記ＵＥの前記１つまたは複数の拡張能力に少なくとも部分的に基づいて２つ以上のＱｏＳクラス識別子（ＱＣＩ）を示すことを備える、または
前記ＱｏＳネゴシエーションに参加することは、選好の順に代替ＱｏＳ要件を示すことを備える、
請求項１に記載の方法。
【請求項８】
前記ターゲット基地局における前記ＵＥの前記１つまたは複数の拡張能力のサポートのインジケーションを受信することをさらに備える、
請求項１に記載の方法。
【請求項９】
前記１つまたは複数のハンドオーバ関連プロシージャを実行することは、前記ターゲット基地局へのハンドオーバを開始することを備える、
請求項１に記載の方法。
【請求項１０】
前記ハンドオーバを開始することは、前記少なくとも１つのソース基地局に接続されている間に前記ターゲット基地局とのランダムアクセスプロシージャを実行することを備える、
請求項９に記載の方法。
【請求項１１】
ソース基地局によるワイヤレス通信の方法であって、
ユーザ機器（ＵＥ）の１つまたは複数の拡張能力のインジケーションを受信することと、
前記ＵＥの前記１つまたは複数の拡張能力と、ターゲット基地局における前記ＵＥの前記１つまたは複数の拡張能力のサポートとに少なくとも部分的に基づいて、前記ソース基地局から前記ターゲット基地局に前記ＵＥをハンドオーバするための１つまたは複数のハンドオーバ関連プロシージャを実行することと
を備え、前記１つまたは複数のハンドオーバ関連プロシージャを実行することは、前記ターゲット基地局における前記ＵＥの前記１つまたは複数の拡張能力のサポートに少なくとも部分的に基づいてサービス品質（ＱｏＳ）ネゴシエーションに参加することを備え、前記ＵＥの前記１つまたは複数の拡張能力は、
前記１つまたは複数の拡張能力がないデバイスに対して低レイテンシを用いて前記ハンドオーバを実行する前記ＵＥの能力、または
拡張コンポーネントキャリア（ｅＣＣ）動作をサポートする前記ＵＥの能力
のうちの少なくとも１つを備える、方法。
【請求項１２】
前記１つまたは複数のハンドオーバ関連プロシージャを実行することは、前記ＵＥが前記ソース基地局に接続される間に前記ターゲット基地局への前記ＵＥのハンドオーバを開始することを備える、
請求項１１に記載の方法。
【請求項１３】
ターゲット基地局によるワイヤレス通信の方法であって、
ユーザ機器（ＵＥ）の１つまたは複数の拡張能力のインジケーションを受信することと、
前記ＵＥの前記１つまたは複数の拡張能力と、前記ターゲット基地局における前記ＵＥの前記１つまたは複数の拡張能力のサポートとに少なくとも部分的に基づいて、ソース基地局から前記ターゲット基地局に前記ＵＥをハンドオーバするための１つまたは複数のハンドオーバ関連プロシージャを実行することと
を備え、前記１つまたは複数のハンドオーバ関連プロシージャを実行することは、前記ターゲット基地局における前記ＵＥの前記１つまたは複数の拡張能力のサポートに少なくとも部分的に基づいてサービス品質（ＱｏＳ）ネゴシエーションに参加することを備え、前記ＵＥの前記１つまたは複数の拡張能力は、
前記１つまたは複数の拡張能力がないデバイスに対して低レイテンシを用いて前記ハンドオーバを実行する前記ＵＥの能力、または
拡張コンポーネントキャリア（ｅＣＣ）動作をサポートする前記ＵＥの能力
のうちの少なくとも１つを備える、方法。
【請求項１４】
前記１つまたは複数のハンドオーバ関連プロシージャは、前記ＵＥが前記ソース基地局に接続される間に前記ＵＥとのランダムアクセスプロシージャを実行することを備える、
請求項１３に記載の方法。
【請求項１５】
ランダムアクセスプロシージャは、低レイテンシアクセスのために予約されたランダムアクセスチャネル（ＲＡＣＨ）プリアンブルを備える、
請求項１４に記載の方法。
【請求項１６】
前記ＱｏＳネゴシエーションに参加することは、非アクセス層（ＮＡＳ）シグナリングを通して新しいＱｏＳをもつベアラリソース変更についての要求を受信することを備える、または
前記ＱｏＳネゴシエーションに参加することは、ＲＲＣ接続再確立要求とともにＱｏＳ要求を受信することを備える、または
前記ＱｏＳネゴシエーションに参加することは、前記ＵＥの前記１つまたは複数の拡張能力に少なくとも部分的に基づいて２つ以上のＱｏＳクラス識別子（ＱＣＩ）を受信することを備える、
請求項１３に記載の方法。
【請求項１７】
前記ＱｏＳネゴシエーションに参加することは、代替ＱｏＳ要件を受信することを備える、
請求項１３に記載の方法。
【請求項１８】
前記代替ＱｏＳ要件は、選好の順で示される、
請求項１４に記載の方法。
【請求項１９】
ワイヤレス通信のための装置であって、
請求項１乃至１８のいずれか１項のステップを実行するように配置される手段を備える、装置。
【請求項２０】
請求項１乃至１８のいずれか１項のステップを実行するように配列される命令を有するワイヤレス通信のためのコンピュータ可読媒体。
【手続補正２】
【補正対象書類名】明細書
【補正対象項目名】０１１８
【補正方法】変更
【補正の内容】
【０１１８】
[00126]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］
ユーザ機器（ＵＥ）によるワイヤレス通信の方法であって、
前記ＵＥの１つまたは複数の拡張能力を少なくとも１つのソース基地局にシグナリングすることと、
前記ＵＥの前記１つまたは複数の拡張能力と、ターゲット基地局における前記ＵＥの前記１つまたは複数の拡張能力のサポートとに少なくとも部分的に基づいて、１つまたは複数のハンドオーバ関連プロシージャを実行することと
を備え、前記ＵＥの前記１つまたは複数の拡張能力は、
前記１つまたは複数の拡張能力がないデバイスに対して低レイテンシを用いてハンドオーバを実行する前記ＵＥの能力、または
拡張コンポーネントキャリア（ｅＣＣ）動作をサポートする前記ＵＥの能力
のうちの少なくとも１つを備える、方法。
［Ｃ２］
前記１つまたは複数のハンドオーバ関連プロシージャを実行することは、
前記ターゲット基地局の１つまたは複数のパラメータに基づいて、前記ターゲット基地局のタイミングアドバンス（ＴＡ）を決定することと、
前記ターゲット基地局とのランダムアクセスプロシージャをスキップすることと、
前記ＴＡに基づいて前記ターゲット基地局との接続を確立することと
を備える、［Ｃ１］に記載の方法。
［Ｃ３］
前記１つまたは複数のパラメータは、前記ターゲット基地局の送信電力、前記ターゲット基地局のロケーション、または前記ターゲット基地局の信号強度のうちの少なくとも１つを備える、
［Ｃ２］に記載の方法。
［Ｃ４］
前記ターゲット基地局の前記ＴＡを決定することは、前記ターゲット基地局がスモールセルタイプに対応するというインジケーションにさらに基づく、
［Ｃ２］に記載の方法。
［Ｃ５］
前記ターゲット基地局の前記ＴＡは、０である、
［Ｃ４］に記載の方法。
［Ｃ６］
前記１つまたは複数のハンドオーバ関連プロシージャを実行することは、低レイテンシアクセスのために予約されたランダムアクセスチャネル（ＲＡＣＨ）プリアンブルのセットを用いてランダムアクセスプロシージャを実行することを備える、
［Ｃ１］に記載の方法。
［Ｃ７］
前記１つまたは複数のハンドオーバ関連プロシージャを実行することは、前記ターゲット基地局における前記ＵＥの前記１つまたは複数の拡張能力のサポートに少なくとも部分的に基づいて前記ターゲット基地局とのサービス品質（ＱｏＳ）ネゴシエーションに参加することを備える、
［Ｃ１］に記載の方法。
［Ｃ８］
前記ＱｏＳネゴシエーションに参加することは、前記ターゲット基地局がｅＣＣ動作をサポートする能力を有するときに第１のＱｏＳを受け付けること、または、前記ターゲット基地局がｅＣＣ動作をサポートする能力がないときに前記第１のＱｏＳよりも低い第２のＱｏＳを受け付けることを備える、
［Ｃ７］に記載の方法。
［Ｃ９］
前記ＱｏＳネゴシエーションに参加することは、非アクセス層（ＮＡＳ）シグナリングを通して新しいＱｏＳをもつベアラリソース変更を要求することを備える、
［Ｃ７］に記載の方法。
［Ｃ１０］
前記ＱｏＳネゴシエーションに参加することは、ＲＲＣ接続再確立要求とともにＱｏＳ要求を送信することを備える、
［Ｃ７］に記載の方法。
［Ｃ１１］
前記ＱｏＳネゴシエーションに参加することは、前記ＵＥの前記１つまたは複数の拡張能力に少なくとも部分的に基づいて２つ以上のＱｏＳクラス識別子（ＱＣＩ）を示すことを備える、
［Ｃ７］に記載の方法。
［Ｃ１２］
前記ＱｏＳネゴシエーションに参加することは、選好の順に代替ＱｏＳ要件を示すことを備える、
［Ｃ７］に記載の方法。
［Ｃ１３］
前記ターゲット基地局における前記ＵＥの前記１つまたは複数の拡張能力のサポートのインジケーションを受信することをさらに備える、
［Ｃ１］に記載の方法。
［Ｃ１４］
前記１つまたは複数のハンドオーバ関連プロシージャを実行することは、前記ターゲット基地局へのハンドオーバを開始することを備える、
［Ｃ１］に記載の方法。
［Ｃ１５］
前記ハンドオーバを開始することは、前記少なくとも１つのソース基地局に接続されている間に前記ターゲット基地局とのランダムアクセスプロシージャを実行することを備える、
［Ｃ１４］に記載の方法。
［Ｃ１６］
前記１つまたは複数のハンドオーバ関連プロシージャを実行することは、前記ターゲット基地局における前記ＵＥの前記１つまたは複数の拡張能力のサポートに少なくとも部分的に基づいて前記少なくとも１つのソース基地局に測定報告を送信することを備える、
［Ｃ１］に記載の方法。
［Ｃ１７］
ソース基地局によるワイヤレス通信の方法であって、
ユーザ機器（ＵＥ）の１つまたは複数の拡張能力のインジケーションを受信することと、
前記ＵＥの前記１つまたは複数の拡張能力と、ターゲット基地局における前記ＵＥの前記１つまたは複数の拡張能力のサポートとに少なくとも部分的に基づいて、前記ソース基地局から前記ターゲット基地局に前記ＵＥをハンドオーバするための１つまたは複数のハンドオーバ関連プロシージャを実行することと
を備え、前記ＵＥの前記１つまたは複数の拡張能力は、
前記１つまたは複数の拡張能力がないデバイスに対して低レイテンシを用いて前記ハンドオーバを実行する前記ＵＥの能力、または
拡張コンポーネントキャリア（ｅＣＣ）動作をサポートする前記ＵＥの能力
のうちの少なくとも１つを備える、方法。
［Ｃ１８］
前記１つまたは複数のハンドオーバ関連プロシージャを実行することは、前記ＵＥが前記ソース基地局に接続される間に前記ターゲット基地局への前記ＵＥのハンドオーバを開始することを備える、
［Ｃ１７］に記載の方法。
［Ｃ１９］
前記１つまたは複数のハンドオーバ関連プロシージャを実行することは、前記ターゲット基地局における前記ＵＥの前記１つまたは複数の拡張能力のサポートに少なくとも部分的に基づいてサービス品質（ＱｏＳ）ネゴシエーションに参加することを備える、
［Ｃ１７］に記載の方法。
［Ｃ２０］
ターゲット基地局によるワイヤレス通信の方法であって、
ユーザ機器（ＵＥ）の１つまたは複数の拡張能力のインジケーションを受信することと、
前記ＵＥの前記１つまたは複数の拡張能力と、前記ターゲット基地局における前記ＵＥの前記１つまたは複数の拡張能力のサポートとに少なくとも部分的に基づいて、ソース基地局から前記ターゲット基地局に前記ＵＥをハンドオーバするための１つまたは複数のハンドオーバ関連プロシージャを実行することと
を備え、前記ＵＥの前記１つまたは複数の拡張能力は、
前記１つまたは複数の拡張能力がないデバイスに対して低レイテンシを用いて前記ハンドオーバを実行する前記ＵＥの能力、または
拡張コンポーネントキャリア（ｅＣＣ）動作をサポートする前記ＵＥの能力
のうちの少なくとも１つを備える、方法。
［Ｃ２１］
前記１つまたは複数のハンドオーバ関連プロシージャは、前記ＵＥが前記ソース基地局に接続される間に前記ＵＥとのランダムアクセスプロシージャを実行することを備える、
［Ｃ２０］に記載の方法。
［Ｃ２２］
ランダムアクセスプロシージャは、低レイテンシアクセスのために予約されたランダムアクセスチャネル（ＲＡＣＨ）プリアンブルを備える、
［Ｃ２１］に記載の方法。
［Ｃ２３］
前記１つまたは複数のハンドオーバ関連プロシージャを実行することは、前記ＵＥの前記１つまたは複数の拡張能力に少なくとも部分的に基づいてサービス品質（ＱｏＳ）ネゴシエーションに参加することを備える、
［Ｃ２０］に記載の方法。
［Ｃ２４］
前記１つまたは複数のハンドオーバ関連プロシージャを実行することは、前記ターゲット基地局における前記ＵＥの前記１つまたは複数の拡張能力のサポートに少なくとも部分的に基づいてサービス品質（ＱｏＳ）ネゴシエーションに参加することを備える、
［Ｃ２０］に記載の方法。
［Ｃ２５］
前記ＱｏＳネゴシエーションに参加することは、非アクセス層（ＮＡＳ）シグナリングを通して新しいＱｏＳをもつベアラリソース変更についての要求を受信することを備える、
［Ｃ２４］に記載の方法。
［Ｃ２６］
前記ＱｏＳネゴシエーションに参加することは、ＲＲＣ接続再確立要求とともにＱｏＳ要求を受信することを備える、
［Ｃ２４］に記載の方法。
［Ｃ２７］
前記ＱｏＳネゴシエーションに参加することは、前記ＵＥの前記１つまたは複数の拡張能力に少なくとも部分的に基づいて２つ以上のＱｏＳクラス識別子（ＱＣＩ）を受信することを備える、
［Ｃ２４］に記載の方法。
［Ｃ２８］
前記ＱｏＳネゴシエーションに参加することは、代替ＱｏＳ要件を受信することを備える、
［Ｃ２４］に記載の方法。
［Ｃ２９］
前記代替ＱｏＳ要件は、選好の順で示される、
［Ｃ２８］に記載の方法。
［Ｃ３０］
少なくとも１つのプロセッサと、前記少なくとも１つのプロセッサに結合されたメモリとを備えるユーザ機器（ＵＥ）であって、
前記少なくとも１つのプロセッサは、
前記ＵＥの１つまたは複数の拡張能力を少なくとも１つのソース基地局に示すことと、
前記ＵＥの前記１つまたは複数の拡張能力と、ターゲット基地局における前記ＵＥの前記１つまたは複数の拡張能力のサポートとに少なくとも部分的に基づいて、１つまたは複数のハンドオーバ関連プロシージャを実行することと
を行うように構成され、前記ＵＥの前記１つまたは複数の拡張能力は、
前記１つまたは複数の拡張能力がないデバイスに対して低レイテンシを用いてハンドオーバを実行する前記ＵＥの能力、または
拡張コンポーネントキャリア（ｅＣＣ）動作をサポートする前記ＵＥの能力
のうちの少なくとも１つを備える、ＵＥ。
［Ｃ３１］
前記少なくとも１つのプロセッサは、
前記ターゲット基地局の１つまたは複数のパラメータに基づいて前記ターゲット基地局のタイミングアドバンス（ＴＡ）を決定することと、
前記ターゲット基地局とのランダムアクセスプロシージャをスキップすることと、
前記ＴＡに基づいて前記ターゲット基地局との接続を確立することと
を行うことによって前記１つまたは複数のハンドオーバ関連プロシージャを実行するように構成された、
［Ｃ３０］に記載のＵＥ。
［Ｃ３２］
前記１つまたは複数のパラメータは、前記ターゲット基地局の送信電力、前記ターゲット基地局のロケーション、または前記ターゲット基地局の信号強度のうちの少なくとも１つを備える、
［Ｃ３１］に記載のＵＥ。
［Ｃ３３］
前記少なくとも１つのプロセッサは、前記ターゲット基地局がスモールセルタイプに対応するというインジケーションにさらに基づいて前記ターゲット基地局の前記ＴＡを決定するように構成された、
［Ｃ３１］に記載のＵＥ。
［Ｃ３４］
前記ターゲット基地局の前記ＴＡは、０である、
［Ｃ３３］に記載のＵＥ。
［Ｃ３５］
前記少なくとも１つのプロセッサは、低レイテンシアクセスのために予約されたランダムアクセスチャネル（ＲＡＣＨ）プリアンブルのセットを用いてランダムアクセスプロシージャを実行することによって、前記１つまたは複数のハンドオーバ関連プロシージャを実行するように構成された、
［Ｃ３０］に記載のＵＥ。
［Ｃ３６］
前記少なくとも１つのプロセッサは、前記ターゲット基地局における前記ＵＥの前記１つまたは複数の拡張能力のサポートに少なくとも部分的に基づいて前記ターゲット基地局とのサービス品質（ＱｏＳ）ネゴシエーションに参加することによって、前記１つまたは複数のハンドオーバ関連プロシージャを実行するように構成された、
［Ｃ３０］に記載のＵＥ。
［Ｃ３７］
前記少なくとも１つのプロセッサは、前記ターゲット基地局がｅＣＣ動作をサポートする能力を有するときに第１のＱｏＳを受け付けること、または、前記ターゲット基地局がｅＣＣ動作をサポートする能力がないときに前記第１のＱｏＳよりも低い第２のＱｏＳを受け付けることによって、前記ＱｏＳネゴシエーションに参加するように構成された、
［Ｃ３６］に記載のＵＥ。
［Ｃ３８］
前記少なくとも１つのプロセッサは、非アクセス層（ＮＡＳ）シグナリングを通して新しいＱｏＳをもつベアラリソース変更を要求することによって、前記ＱｏＳネゴシエーションに参加するように構成された、
［Ｃ３６］に記載のＵＥ。
［Ｃ３９］
前記少なくとも１つのプロセッサは、ＲＲＣ接続再確立要求とともにＱｏＳ要求を送信することによって前記ＱｏＳネゴシエーションに参加するように構成された、
［Ｃ３６］に記載のＵＥ。
［Ｃ４０］
前記少なくとも１つのプロセッサは、前記ＵＥの前記１つまたは複数の拡張能力に少なくとも部分的に基づいて２つ以上のＱｏＳクラス識別子（ＱＣＩ）を示すことによって、前記ＱｏＳネゴシエーションに参加するように構成された、
［Ｃ３６］に記載のＵＥ。
［Ｃ４１］
前記少なくとも１つのプロセッサは、選好の順序で代替ＱｏＳ要件を示すことによって前記ＱｏＳネゴシエーションに参加するように構成された、
［Ｃ３６］に記載のＵＥ。
［Ｃ４２］
前記少なくとも１つのプロセッサは、
前記ターゲット基地局における前記ＵＥの前記１つまたは複数の拡張能力のサポートのインジケーションを受信することを行うようにさらに構成された、
［Ｃ３０］に記載のＵＥ。
［Ｃ４３］
前記少なくとも１つのプロセッサは、前記ターゲット基地局へのハンドオーバを開始することによって前記１つまたは複数のハンドオーバ関連プロシージャを実行するように構成された、
［Ｃ３０］に記載のＵＥ。
［Ｃ４４］
前記少なくとも１つのプロセッサは、前記少なくとも１つのソース基地局に接続されている間に前記ターゲット基地局とのランダムアクセスプロシージャを実行することによって、前記ハンドオーバを開始するように構成された、
［Ｃ４３］に記載のＵＥ。
［Ｃ４５］
前記少なくとも１つのプロセッサは、前記ターゲット基地局における前記ＵＥの前記１つまたは複数の拡張能力のサポートに少なくとも部分的に基づいて前記少なくとも１つのソース基地局に測定報告を送信することによって、前記１つまたは複数のハンドオーバ関連プロシージャを実行するように構成された、
［Ｃ３０］に記載のＵＥ。
［Ｃ４６］
少なくとも１つのプロセッサと、前記少なくとも１つのプロセッサに結合されたメモリとを備えるソース基地局であって、
前記少なくとも１つのプロセッサは、
ユーザ機器（ＵＥ）の１つまたは複数の拡張能力のインジケーションを受信することと、
前記ＵＥの前記１つまたは複数の拡張能力と、ターゲット基地局における前記ＵＥの前記１つまたは複数の拡張能力のサポートとに少なくとも部分的に基づいて、前記ソース基地局から前記ターゲット基地局に前記ＵＥをハンドオーバするための１つまたは複数のハンドオーバ関連プロシージャを実行することと
を行うように構成され、前記ＵＥの前記１つまたは複数の拡張能力は、
前記１つまたは複数の拡張能力がないデバイスに対して低レイテンシを用いてハンドオーバを実行する前記ＵＥの能力、または
拡張コンポーネントキャリア（ｅＣＣ）動作をサポートする前記ＵＥの能力
のうちの少なくとも１つを備える、ソース基地局。
［Ｃ４７］
前記少なくとも１つのプロセッサは、前記ＵＥが前記ソース基地局に接続される間に前記ターゲット基地局への前記ＵＥのハンドオーバを開始することによって、前記１つまたは複数のハンドオーバ関連プロシージャを実行するように構成された、
［Ｃ４６］に記載のソース基地局。
［Ｃ４８］
前記少なくとも１つのプロセッサは、前記ターゲット基地局における前記ＵＥの前記１つまたは複数の拡張能力のサポートに少なくとも部分的に基づいてサービス品質（ＱｏＳ）ネゴシエーションに参加することによって、前記１つまたは複数のハンドオーバ関連プロシージャを実行するように構成された、
［Ｃ４６］に記載のソース基地局。
［Ｃ４９］
少なくとも１つのプロセッサと、前記少なくとも１つのプロセッサに結合されたメモリとを備えるターゲット基地局であって、
前記少なくとも１つのプロセッサは、
ユーザ機器（ＵＥ）の１つまたは複数の拡張能力のインジケーションを受信することと、
前記ＵＥの前記１つまたは複数の拡張能力と、前記ターゲット基地局における前記ＵＥの前記１つまたは複数の拡張能力のサポートとに少なくとも部分的に基づいて、ソース基地局から前記ターゲット基地局に前記ＵＥをハンドオーバするための１つまたは複数のハンドオーバ関連プロシージャを実行することと
を行うように構成され、前記ＵＥの前記１つまたは複数の拡張能力は、
前記１つまたは複数の拡張能力がないデバイスに対して低レイテンシを用いてハンドオーバを実行する前記ＵＥの能力、または
拡張コンポーネントキャリア（ｅＣＣ）動作をサポートする前記ＵＥの能力
のうちの少なくとも１つを備える、ターゲット基地局。
［Ｃ５０］
前記１つまたは複数のハンドオーバ関連プロシージャは、前記ＵＥが前記ソース基地局に接続される間に前記ＵＥとのランダムアクセスプロシージャを実行することを備える、
［Ｃ４９］に記載のターゲット基地局。
［Ｃ５１］
前記ランダムアクセスプロシージャは、低レイテンシアクセスのために予約されたランダムアクセスチャネル（ＲＡＣＨ）プリアンブルを備える、
［Ｃ５０］に記載のターゲット基地局。
［Ｃ５２］
前記少なくとも１つのプロセッサは、前記ＵＥの前記１つまたは複数の拡張能力に少なくとも部分的に基づいてサービス品質（ＱｏＳ）ネゴシエーションに参加することによって、前記１つまたは複数のハンドオーバ関連プロシージャを実行するように構成された、
［Ｃ４９］に記載のターゲット基地局。
［Ｃ５３］
前記少なくとも１つのプロセッサは、前記ターゲット基地局における前記ＵＥの前記１つまたは複数の拡張能力のサポートに少なくとも部分的に基づいてサービス品質（ＱｏＳ）ネゴシエーションに参加することによって、前記１つまたは複数のハンドオーバ関連プロシージャを実行するように構成された、
［Ｃ４９］に記載のターゲット基地局。
［Ｃ５４］
前記少なくとも１つのプロセッサは、非アクセス層（ＮＡＳ）シグナリングを通して新しいＱｏＳをもつベアラリソース変更についての要求を受信することによって、前記ＱｏＳネゴシエーションに参加するように構成された、
［Ｃ５３］に記載のターゲット基地局。
［Ｃ５５］
前記少なくとも１つのプロセッサは、ＲＲＣ接続再確立要求とともにＱｏＳ要求を受信することによって前記ＱｏＳネゴシエーションに参加するように構成された、
［Ｃ５３］に記載のターゲット基地局。
［Ｃ５６］
前記少なくとも１つのプロセッサは、前記ＵＥの前記１つまたは複数の拡張能力に少なくとも部分的に基づいて２つ以上のＱｏＳクラス識別子（ＱＣＩ）を受信することによって、前記ＱｏＳネゴシエーションに参加するように構成された、
［Ｃ５３］に記載のターゲット基地局。
［Ｃ５７］
前記少なくとも１つのプロセッサは、代替ＱｏＳ要件を受信することによって前記ＱｏＳネゴシエーションに参加するように構成された、
［Ｃ５３］に記載のターゲット基地局。
［Ｃ５８］
前記代替ＱｏＳ要件は、選好の順で示される、
［Ｃ５７］に記載のターゲット基地局。
［Ｃ５９］
ワイヤレス通信のための装置であって、
前記装置の１つまたは複数の拡張能力を少なくとも１つのソース基地局にシグナリングするための手段と、
前記装置の前記１つまたは複数の拡張能力と、ターゲット基地局における前記装置の前記１つまたは複数の拡張能力のサポートとに少なくとも部分的に基づいて、１つまたは複数のハンドオーバ関連プロシージャを実行するための手段と
を備え、前記装置の前記１つまたは複数の拡張能力は、
前記１つまたは複数の拡張能力がないデバイスに対して低レイテンシを用いてハンドオーバを実行する前記装置の能力、または
拡張コンポーネントキャリア（ｅＣＣ）動作をサポートする前記装置の能力
のうちの少なくとも１つを備える、装置。
［Ｃ６０］
前記１つまたは複数のハンドオーバ関連プロシージャを前記実行するための手段は、
前記ターゲット基地局の１つまたは複数のパラメータに基づいて前記ターゲット基地局のタイミングアドバンス（ＴＡ）を決定するための手段と、
前記ターゲット基地局とのランダムアクセスプロシージャをスキップするための手段と、
前記ＴＡに基づいて前記ターゲット基地局との接続を確立するための手段と
を備える、［Ｃ５９］に記載の装置。
［Ｃ６１］
前記１つまたは複数のパラメータは、前記ターゲット基地局の送信電力、前記ターゲット基地局のロケーション、または前記ターゲット基地局の信号強度のうちの少なくとも１つを備える、
［Ｃ６０］に記載の装置。
［Ｃ６２］
前記ターゲット基地局の前記ＴＡを前記決定するための手段は、前記ターゲット基地局がスモールセルタイプに対応するというインジケーションにさらに基づく、
［Ｃ６０］に記載の装置。
［Ｃ６３］
前記ターゲット基地局の前記ＴＡは、０である、
［Ｃ６２］に記載の装置。
［Ｃ６４］
前記１つまたは複数のハンドオーバ関連プロシージャを前記実行するための手段は、低レイテンシアクセスのために予約されたランダムアクセスチャネル（ＲＡＣＨ）プリアンブルのセットを用いてランダムアクセスプロシージャを実行するための手段を備える、
［Ｃ５９］に記載の装置。
［Ｃ６５］
前記１つまたは複数のハンドオーバ関連プロシージャを前記実行するための手段は、前記ターゲット基地局における前記装置の前記１つまたは複数の拡張能力のサポートに少なくとも部分的に基づいて前記ターゲット基地局とのサービス品質（ＱｏＳ）ネゴシエーションに参加するための手段を備える、
［Ｃ５９］に記載の装置。
［Ｃ６６］
前記ＱｏＳネゴシエーションに前記参加するための手段は、前記ターゲット基地局がｅＣＣ動作をサポートする能力を有するときに第１のＱｏＳを受け付けるための手段、または、前記ターゲット基地局がｅＣＣ動作をサポートする能力がないときに前記第１のＱｏＳよりも低い第２のＱｏＳを受け付けるための手段を備える、
［Ｃ６５］に記載の装置。
［Ｃ６７］
前記ＱｏＳネゴシエーションに前記参加するための手段は、非アクセス層（ＮＡＳ）シグナリングを通して新しいＱｏＳをもつベアラリソース変更を要求するための手段を備える、
［Ｃ６５］に記載の装置。
［Ｃ６８］
前記ＱｏＳネゴシエーションに前記参加するための手段は、ＲＲＣ接続再確立要求とともにＱｏＳ要求を送信するための手段を備える、
［Ｃ６５］に記載の装置。
［Ｃ６９］
前記ＱｏＳネゴシエーションに前記参加するための手段は、前記装置の前記１つまたは複数の拡張能力に少なくとも部分的に基づいて２つ以上のＱｏＳクラス識別子（ＱＣＩ）を示すための手段を備える、
［Ｃ６５］に記載の装置。
［Ｃ７０］
前記ＱｏＳネゴシエーションに前記参加するための手段は、選好の順序で代替ＱｏＳ要件を示すための手段を備える、
［Ｃ６５］に記載の装置。
［Ｃ７１］
前記ターゲット基地局における前記装置の前記１つまたは複数の拡張能力のサポートのインジケーションを受信するための手段をさらに備える、
［Ｃ５９］に記載の装置。
［Ｃ７２］
前記１つまたは複数のハンドオーバ関連プロシージャを前記実行するための手段は、前記ターゲット基地局へのハンドオーバを開始するための手段を備える、
［Ｃ５９］に記載の装置。
［Ｃ７３］
前記ハンドオーバを前記開始するための手段は、前記少なくとも１つのソース基地局に接続されている間に前記ターゲット基地局とのランダムアクセスプロシージャを実行するための手段を備える、
［Ｃ７２］に記載の装置。
［Ｃ７４］
前記１つまたは複数のハンドオーバ関連プロシージャを前記実行するための手段は、前記ターゲット基地局における前記装置の前記１つまたは複数の拡張能力のサポートに少なくとも部分的に基づいて前記少なくとも１つのソース基地局に測定報告を送信することを備える、
［Ｃ５９］に記載の装置。
［Ｃ７５］
ワイヤレス通信のための装置であって、
ユーザ機器（ＵＥ）の１つまたは複数の拡張能力のインジケーションを受信するための手段と、
前記装置の前記１つまたは複数の拡張能力と、ターゲット基地局における前記装置の前記１つまたは複数の拡張能力のサポートとに少なくとも部分的に基づいて、前記装置から前記ターゲット基地局に前記ＵＥをハンドオーバするための１つまたは複数のハンドオーバ関連プロシージャを実行するための手段と
を備え、前記装置の前記１つまたは複数の拡張能力は、
前記１つまたは複数の拡張能力がないデバイスに対して低レイテンシを用いて前記ハンドオーバを実行する前記装置の能力、または
拡張コンポーネントキャリア（ｅＣＣ）動作をサポートする前記装置の能力
のうちの少なくとも１つを備える、装置。
［Ｃ７６］
前記１つまたは複数のハンドオーバ関連プロシージャを前記実行するための手段は、前記ＵＥが前記装置に接続される間に前記ターゲット基地局への前記ＵＥのハンドオーバを開始するための手段を備える、
［Ｃ７５］に記載の装置。
［Ｃ７７］
前記１つまたは複数のハンドオーバ関連プロシージャを前記実行するための手段は、前記ターゲット基地局における前記ＵＥの前記１つまたは複数の拡張能力のサポートに少なくとも部分的に基づいてサービス品質（ＱｏＳ）ネゴシエーションに参加するための手段を備える、
［Ｃ７５］に記載の装置。
［Ｃ７８］
ワイヤレス通信のための装置であって、
ユーザ機器（ＵＥ）の１つまたは複数の拡張能力のインジケーションを受信するための手段と、
前記ＵＥの前記１つまたは複数の拡張能力と、前記装置における前記ＵＥの前記１つまたは複数の拡張能力のサポートとに少なくとも部分的に基づいて、ソース基地局から前記装置に前記ＵＥをハンドオーバするための１つまたは複数のハンドオーバ関連プロシージャを実行するための手段と
を備え、前記ＵＥの前記１つまたは複数の拡張能力は、
前記１つまたは複数の拡張能力がないデバイスに対して低レイテンシを用いて前記ハンドオーバを実行する前記ＵＥの能力、または
拡張コンポーネントキャリア（ｅＣＣ）動作をサポートする前記ＵＥの能力
のうちの少なくとも１つを備える、装置。
［Ｃ７９］
前記１つまたは複数のハンドオーバ関連プロシージャは、前記ＵＥが前記ソース基地局に接続される間に前記ＵＥとのランダムアクセスプロシージャを実行するための手段を備える、
［Ｃ７８］に記載の装置。
［Ｃ８０］
前記ランダムアクセスプロシージャは、低レイテンシアクセスのために予約されたランダムアクセスチャネル（ＲＡＣＨ）プリアンブルを備える、
［Ｃ７９］に記載の装置。
［Ｃ８１］
前記１つまたは複数のハンドオーバ関連プロシージャを前記実行するための手段は、前記ＵＥの前記１つまたは複数の拡張能力に少なくとも部分的に基づいてサービス品質（ＱｏＳ）ネゴシエーションに参加するための手段を備える、
［Ｃ７８］に記載の装置。
［Ｃ８２］
前記１つまたは複数のハンドオーバ関連プロシージャを前記実行するための手段は、前記装置における前記ＵＥの前記１つまたは複数の拡張能力のサポートに少なくとも部分的に基づいてサービス品質（ＱｏＳ）ネゴシエーションに参加するための手段を備える、
［Ｃ７８］に記載の装置。
［Ｃ８３］
前記ＱｏＳネゴシエーションに前記参加するための手段は、非アクセス層（ＮＡＳ）シグナリングを通して新しいＱｏＳをもつベアラリソース変更についての要求を受信するための手段を備える、
［Ｃ８２］に記載の装置。
［Ｃ８４］
前記ＱｏＳネゴシエーションに前記参加するための手段は、ＲＲＣ接続再確立要求とともにＱｏＳ要求を受信するための手段を備える、
［Ｃ８２］に記載の装置。
［Ｃ８５］
前記ＱｏＳネゴシエーションに前記参加するための手段は、前記ＵＥの前記１つまたは複数の拡張能力に少なくとも部分的に基づいて２つ以上のＱｏＳクラス識別子（ＱＣＩ）を受信するための手段を備える、
［Ｃ８２］に記載の装置。
［Ｃ８６］
前記ＱｏＳネゴシエーションに前記参加するための手段は、代替ＱｏＳ要件を受信するための手段を備える、
［Ｃ８２］に記載の装置。
［Ｃ８７］
前記代替ＱｏＳ要件は、選好の順で示される、
［Ｃ８６］に記載の方法。
［Ｃ８８］
命令を記憶した、ワイヤレス通信のためのコンピュータ可読媒体であって、前記命令は、
ユーザ機器（ＵＥ）によって、前記ＵＥの１つまたは複数の拡張能力を少なくとも１つのソース基地局にシグナリングすることと、
前記ＵＥによって、前記ＵＥの前記１つまたは複数の拡張能力と、ターゲット基地局における前記ＵＥの前記１つまたは複数の拡張能力のサポートとに少なくとも部分的に基づいて、１つまたは複数のハンドオーバ関連プロシージャを実行することと
を行うために１つまたは複数のプロセッサによって実行可能であり、前記ＵＥの前記１つまたは複数の拡張能力は、
前記１つまたは複数の拡張能力がないデバイスに対して低レイテンシを用いてハンドオーバを実行する前記ＵＥの能力、または
拡張コンポーネントキャリア動作をサポートする前記ＵＥの能力
のうちの少なくとも１つを備える、コンピュータ可読媒体。
［Ｃ８９］
前記１つまたは複数のハンドオーバ関連プロシージャを実行することは、
前記ターゲット基地局の１つまたは複数のパラメータに基づいて前記ターゲット基地局のタイミングアドバンス（ＴＡ）を決定することと、
前記ターゲット基地局とのランダムアクセスプロシージャをスキップすることと、
前記ＴＡに基づいて前記ターゲット基地局との接続を確立することと
を備える、［Ｃ８８］に記載のコンピュータ可読媒体。
［Ｃ９０］
前記１つまたは複数のパラメータが、前記ターゲット基地局の送信電力、前記ターゲット基地局のロケーション、または前記ターゲット基地局の信号強度のうちの少なくとも１つを備える、
［Ｃ８９］に記載のコンピュータ可読媒体。
［Ｃ９１］
前記ターゲット基地局の前記ＴＡを決定することは、前記ターゲット基地局がスモールセルタイプに対応するというインジケーションにさらに基づく、
［Ｃ８９］に記載のコンピュータ可読媒体。
［Ｃ９２］
前記ターゲット基地局の前記ＴＡは、０である、
［Ｃ９１］に記載のコンピュータ可読媒体。
［Ｃ９３］
前記１つまたは複数のハンドオーバ関連プロシージャを実行することは、低レイテンシアクセスのために予約されたランダムアクセスチャネル（ＲＡＣＨ）プリアンブルのセットを用いてランダムアクセスプロシージャを実行することを備える、
［Ｃ８８］に記載のコンピュータ可読媒体。
［Ｃ９４］
前記１つまたは複数のハンドオーバ関連プロシージャを実行することは、前記ターゲット基地局における前記ＵＥの前記１つまたは複数の拡張能力のサポートに少なくとも部分的に基づいて前記ターゲット基地局とのサービス品質（ＱｏＳ）ネゴシエーションに参加することを備える、
［Ｃ８８］に記載のコンピュータ可読媒体。
［Ｃ９５］
前記ＱｏＳネゴシエーションに参加することは、前記ターゲット基地局がｅＣＣ動作をサポートする能力を有するときに第１のＱｏＳを受け付けること、または、前記ターゲット基地局がｅＣＣ動作をサポートする能力がないときに前記第１のＱｏＳよりも低い第２のＱｏＳを受け付けることを備える、
［Ｃ９４］に記載のコンピュータ可読媒体。
［Ｃ９６］
前記ＱｏＳネゴシエーションに参加することは、非アクセス層（ＮＡＳ）シグナリングを通して新しいＱｏＳをもつベアラリソース変更を要求することを備える、
［Ｃ９４］に記載のコンピュータ可読媒体。
［Ｃ９７］
前記ＱｏＳネゴシエーションに参加することは、ＲＲＣ接続再確立要求とともにＱｏＳ要求を送信することを備える、
［Ｃ９４］に記載のコンピュータ可読媒体。
［Ｃ９８］
前記ＱｏＳネゴシエーションに参加することは、前記ＵＥの前記１つまたは複数の拡張能力に少なくとも部分的に基づいて２つ以上のＱｏＳクラス識別子（ＱＣＩ）を示すことを備える、
［Ｃ９４］に記載のコンピュータ可読媒体。
［Ｃ９９］
前記ＱｏＳネゴシエーションに参加することは、選好の順序で代替ＱｏＳ要件を示すことを備える、
［Ｃ９４］に記載のコンピュータ可読媒体。
［Ｃ１００］
前記ターゲット基地局における前記ＵＥの前記１つまたは複数の拡張能力のサポートのインジケーションを受信することをさらに備える、
［Ｃ８８］に記載のコンピュータ可読媒体。
［Ｃ１０１］
前記１つまたは複数のハンドオーバ関連プロシージャを実行することは、前記ターゲット基地局へのハンドオーバを開始することを備える、
［Ｃ８８］に記載のコンピュータ可読媒体。
［Ｃ１０２］
前記ハンドオーバを開始することは、前記少なくとも１つのソース基地局に接続されている間に前記ターゲット基地局とのランダムアクセスプロシージャを実行することを備える、
［Ｃ１０１］に記載のコンピュータ可読媒体。
［Ｃ１０３］
前記１つまたは複数のハンドオーバ関連プロシージャを実行することは、前記ターゲット基地局における前記ＵＥの前記１つまたは複数の拡張能力のサポートに少なくとも部分的に基づいて前記少なくとも１つのソース基地局に測定報告を送信することを備える、
［Ｃ８８］に記載のコンピュータ可読媒体。
［Ｃ１０４］
命令を記憶した、ワイヤレス通信のためのコンピュータ可読媒体であって、前記命令は、
ソース基地局によって、ユーザ機器（ＵＥ）の１つまたは複数の拡張能力のインジケーションを受信することと、
前記ソース基地局によって、前記ＵＥの前記１つまたは複数の拡張能力と、ターゲット基地局における前記ＵＥの前記１つまたは複数の拡張能力のサポートとに少なくとも部分的に基づいて、前記ソース基地局から前記ターゲット基地局に前記ＵＥをハンドオーバするための１つまたは複数のハンドオーバ関連プロシージャを実行することと
を行うために１つまたは複数のプロセッサによって実行可能であり、前記ＵＥの前記１つまたは複数の拡張能力は、
前記１つまたは複数の拡張能力がないデバイスに対して低レイテンシを用いて前記ハンドオーバを実行する前記ＵＥの能力、または
拡張コンポーネントキャリア（ｅＣＣ）動作をサポートする前記ＵＥの能力
のうちの少なくとも１つを備える、コンピュータ可読媒体。
［Ｃ１０５］
前記１つまたは複数のハンドオーバ関連プロシージャを実行することは、前記ＵＥが前記ソース基地局に接続される間に前記ターゲット基地局への前記ＵＥのハンドオーバを開始することを備える、
［Ｃ１０４］に記載のコンピュータ可読媒体。
［Ｃ１０６］
前記１つまたは複数のハンドオーバ関連プロシージャを実行することは、前記ターゲット基地局における前記ＵＥの前記１つまたは複数の拡張能力のサポートに少なくとも部分的に基づいてサービス品質（ＱｏＳ）ネゴシエーションに参加することを備える、
［Ｃ１０４］に記載のコンピュータ可読媒体。
［Ｃ１０７］
命令を記憶した、ワイヤレス通信のためのコンピュータ可読媒体であって、前記命令は、
ターゲット基地局によって、ユーザ機器（ＵＥ）の１つまたは複数の拡張能力のインジケーションを受信することと、
前記ターゲット基地局によって、前記ＵＥの前記１つまたは複数の拡張能力と、前記ターゲット基地局における前記ＵＥの前記１つまたは複数の拡張能力のサポートとに少なくとも部分的に基づいて、ソース基地局から前記ターゲット基地局に前記ＵＥをハンドオーバするための１つまたは複数のハンドオーバ関連プロシージャを実行することと
を行うために１つまたは複数のプロセッサによって実行可能であり、前記ＵＥの前記１つまたは複数の拡張能力は、
前記１つまたは複数の拡張能力がないデバイスに対して低レイテンシを用いて前記ハンドオーバを実行する前記ＵＥの能力、または
拡張コンポーネントキャリア（ｅＣＣ）動作をサポートする前記ＵＥの能力
のうちの少なくとも１つを備える、コンピュータ可読媒体。
［Ｃ１０８］
前記１つまたは複数のハンドオーバ関連プロシージャは、前記ＵＥが前記ソース基地局に接続される間に前記ＵＥとのランダムアクセスプロシージャを実行することを備える、
［Ｃ１０７］に記載のコンピュータ可読媒体。
［Ｃ１０９］
前記ランダムアクセスプロシージャは、低レイテンシアクセスのために予約されたランダムアクセスチャネル（ＲＡＣＨ）プリアンブルを備える、
［Ｃ１０８］に記載のコンピュータ可読媒体。
［Ｃ１１０］
前記１つまたは複数のハンドオーバ関連プロシージャを実行することは、前記ＵＥの前記１つまたは複数の拡張能力に少なくとも部分的に基づいてサービス品質（ＱｏＳ）ネゴシエーションに参加することを備える、
［Ｃ１０７］に記載のコンピュータ可読媒体。
［Ｃ１１１］
前記１つまたは複数のハンドオーバ関連プロシージャを実行することは、前記ターゲット基地局における前記ＵＥの前記１つまたは複数の拡張能力のサポートに少なくとも部分的に基づいてサービス品質（ＱｏＳ）ネゴシエーションに参加することを備える、
［Ｃ１０７］に記載のコンピュータ可読媒体。
［Ｃ１１２］
前記ＱｏＳネゴシエーションに参加することは、非アクセス層（ＮＡＳ）シグナリングを通して新しいＱｏＳをもつベアラリソース変更についての要求を受信することを備える、
［Ｃ１１１］に記載のコンピュータ可読媒体。
［Ｃ１１３］
前記ＱｏＳネゴシエーションに参加することは、ＲＲＣ接続再確立要求とともにＱｏＳ要求を受信することを備える、
［Ｃ１１１］に記載のコンピュータ可読媒体。
［Ｃ１１４］
前記ＱｏＳネゴシエーションに参加することは、前記ＵＥの前記１つまたは複数の拡張能力に少なくとも部分的に基づいて２つ以上のＱｏＳクラス識別子（ＱＣＩ）を受信することを備える、
［Ｃ１１１］に記載のコンピュータ可読媒体。
［Ｃ１１５］
前記ＱｏＳネゴシエーションに参加することは、代替ＱｏＳ要件を受信することを備える、
［Ｃ１１１］に記載のコンピュータ可読媒体。
［Ｃ１１６］
前記代替ＱｏＳ要件は、選好の順で示される、
［Ｃ１１５］に記載のコンピュータ可読媒体。